Podtech/llm-jp-corpus-v4-ja_patent huggingface dataset:
(57)【要約】      （修正有）【課題】フックにマスコットワッペンの美観、装飾性がもたらされるとともに、ワンタッチ取付けができるマスコットワッペン系の折り曲げフックを提供する。【解決手段】合成樹脂またはゴムを主材にして可塑性のある板状のマスコットワッペン１を形成し、その裏面に磁石を嵌付け、マスコットワッペンの両側等の切り出し部３を伸ばし戻し自在に前出しするように折り曲げて１乃至複数個のフック４を形成する。【選択図】図２
0003207746.tif 000002
【実用新案登録請求の範囲】
【請求項１】
可塑性のある磁着型のマスコットワッペンを形成し、このマスコットワッペンの切り出し部を伸ばし戻し自在において折り曲げてフックとすることを特徴とする折り伸ばし自在のマスコットワッペンフック。
【請求項２】
フックは１乃至複数個である請求項１に記載の折り伸ばし自在のマスコットワッペンフック。
【考案の詳細な説明】
【技術分野】
【０００１】
この考案は折り伸ばし自在のマスコットワッペンフックに関するものある。
【背景技術】
【０００２】
この種のフックとしては実開昭５６−１７４５８３号公報がある。この公報はアルミニューム等の四角形をした基板の下部に突片を設けて、基板の裏面の糊面を覆う剥離紙を剥がして壁面等に糊付け接着して後、下部の突片を折り起こしてフックとすることを記載している。
【特許文献１】実開昭５６−１７４５８３号公報
【考案の開示】
【考案が解決しようとする課題】
【０００３】
しかしながら、上記公報のフックは四角形をした基板下の突片を折り起こすというきわめて単純な形状によって装飾性，美観にまったく欠けているという課題がある。
しかも剥離紙を剥がして糊面を表出させて壁面等に糊付け接着することで手間がかかって面倒であり、糊の乾燥の進行などにより壁面等への接着に難儀して且つ剥がれ落ちる恐れが生ずるという課題がある。
【課題を解決するための手段】
【０００４】
本考案は、合成樹脂またはゴムを主材にして可塑性のある板状のマスコットワッペンを形成し、その裏面に磁石を嵌付け、このマスコットワッペンの両側等の切り出し部を伸ばし戻し自在において前出しするように折り曲げて１乃至複数個のフックを形成するようにして上記したすべての課題を解決する。
【考案の効果】
【０００５】
本考案は、フックにマスコットワッペンの美観，装飾性がもたらされるという効果を生ずる。
【０００６】
磁着によりワンタッチ取付けができるという効果を生じ、剥離脱落がないという効果を生ずる。
【０００７】
フックは伸ばし戻しが自在であるという効果を生ずる。
【０００８】
フックを２個以上の複数個にて形成することができるという効果を生ずる。
【図面の簡単な説明】
【０００９】
【図１】（ａ）は本考案の１実施例を示す正面図、（ｂ）は同、透視背面図
【図２】（ａ）は同、磁着した使用状態を示す斜視図、（ｂ）は鼻と牙を折り曲げ前出ししてフックを形成した状態を示す斜視図、（ｃ）はフックに物品を掛け吊りした状態を示す斜視図
【図３】（ａ）は少年像の例を示す正面図、（ｂ）は一方の手を折り曲げてフックを形成した使用状態を示す斜視図
【符号の説明】
【００１０】
１はマスコットワッペン
１ａは金属板材
２は磁石
３は切り出し部
４はフック
Ｅは物品
【考案を実施するための最良の形態】
【００１１】
本考案は、合成樹脂またはゴムを主材にして可塑性のある磁着型のマスコットワッペンを形成し、このマスコットワッペンの両側などより切り出し部を伸ばし戻し自在において前出しするように折曲げて１乃至複数個の物品掛け吊り用のフックを形成する。
【実施例１】
【００１２】
図１乃至図３は本考案の実施例であって、２枚の合成樹脂またはゴムシートの間に金属板材１ａを挟入して可塑性のある色彩豊かな板状のマスコットワッペン１を形成する。マスコットワッペン１は裏面に２個など１乃至複数個にて磁石２を嵌め付けている。
【００１３】
マスコットワッペン１の切り出し部３はマスコットワッペン１を図１，２に示す象の顔のときは中心の鼻と両側の牙にて３本の切り出し部を形成し、図３に示す少年像のときは両腕にて切り出し部を３を形成する。
【００１４】
このようにして切り出し部３は人物や動物の手足，魚の尾であったり、その他飛行機の翼やプロペラ、蛸の足、樹木の枝，花，葉など、およそデザインの可能なすべてにおいて形成することができる。
【００１５】
しかして切り出し部３は上記の象の場合、鼻は上に向けて折り曲げ、牙は内側に折り曲げて、少年像は両腕を中間から折り上げてフック４とするのである。切り出し部３が直立形のときは下に向けて折り曲げてフック４とするのである。
【００１６】
フック４は可塑性を有すことによって折り曲げた状態を保持して、鍵，キーホルダーなどの物品Ｅを傷つけることなく吊り下げ、２つのフック４にて物品Ｅを跨ぎ載せることもできる。
【００１７】
フック４の不使用時などには、フック４を伸ばし戻してマスコットワッペン１とともに板体を形造ることができる。
【００１８】
本考案のマスコットワッペン１を冷蔵庫などの外面に磁着すると、磁着面をマスコットワッペンにて飾ることができるほか、物品Ｅを掛け吊りするフック４を折り曲げて形成することができるという便利さがもたらされる。
【産業上の利用可能性】
【００１９】
本考案はマスコットワッペンの一部にて伸ばし戻し自在のフックを折り曲げ形成することができることで広く利用されるものである。
【図１】
0003207746.tif 000003
【図２】
0003207746.tif 000004
【図３】
0003207746.tif 000005
(57)【要約】      （修正有）【課題】賞味期限を長く保ち食品廃棄率を減少させ、経時劣化のない美味しい冷凍おこわを提供する。【解決手段】冷蔵商品として扱われているおこわ４を、冷凍商品とすることにより賞味期限が長く保たれ食品廃棄ロスを減少させる。深型のアイスカップ１に盛り付け、合成樹脂シート３で密閉し、蓋２をして冷凍保存することにより米の保水力が保たれ、炊き立てのようなふっくらとした米の食感と風味を味わえる。【選択図】図１
0003207142.tif 000002
【実用新案登録請求の範囲】
【請求項１】
おこわをアイスカップに詰め冷凍することを特徴とする冷凍おこわ
【考案の詳細な説明】
【技術分野】
【０００１】    本考案は、おこわをアイスカップに詰め冷凍する、おこわに関するものである。
【背景技術】
【０００２】    おこわとは主にもち米を蒸かしたものであり、小豆と一緒に炊いた赤飯やかやくを混ぜて炊く味付けおこわがある。誕生祝いなど吉事に炊く風習があるが、現在ではスーパーやコンビニで販売され、一般的に広く食されている。
スーパー、コンビニで販売されているおこわは、おにぎりや皿型容器に詰められ冷蔵商品として扱われている。そのため経時変化により食感は固くなり風味は損なわれ、冷蔵商品のため賞味期限が製造日から１日間と短く廃棄ロスの原因となっている。
【考案の概要】
【考案が解決しようとする課題】
【０００３】    本考案は、おこわを冷凍することにより賞味期限を長く保ち廃棄率を減少させ、解凍すれば炊き立てと変わらぬ食感や風味を提供することにある。
【課題を解決するための手段】
【０００４】    前記課題を解決するための手段として、おこわをアイスカップに詰めて冷凍し冷凍食品として扱うことである。
【考案の効果】
【０００５】    上述のように冷凍することにより賞味期限を数か月間と長く保ち、皿型容器の浅いものではなくアイスカップのような深型容器に詰めることにより、米の保水力が保たれ固くなりにくく風味を損なわず炊き立てと変わらぬ美味しさを提供できる。
【図面の簡単な説明】
【０００６】
【図１】本考案の実施例を示す冷凍おこわの断面図である。
【図２】同じく斜視図である。
【考案を実施するための形態】
【０００７】    店頭で販売されているおこわは次の手順で製造される。
もち米を浸漬し、蒸かす。蒸し上がったもち米にタレと具を混ぜ合わせればおこわが    出来上がる。出来上がったおこわをおにぎりに形成、または皿型容器に盛り付けられ    冷蔵で保存される。本考案はおこわの提供、保存形態に関するものであり、以下図面に基づいて実施例を説明する。
【実施例】
【０００８】    上述の製造手順と同様におこわを製造する。出来上がったおこわを▲１▼アイスカッ    プに盛り付ける。▲２▼の合成樹脂シートで密閉し▲３▼の蓋をして冷凍保存する。
深型のアイスカップに盛り付け冷凍することで、賞味期限が長く、蒸し上がりと変わ    らぬ美味しさを提供できる▲４▼冷凍おこわ「アイスおこわ」が出来上がる。
【符号の説明】
【０００９】    １  アイスカップ本体
２  アイスカップふた
３  合成樹脂シート
４  おこわ
【図１】
0003207142.tif 000003
【図２】
0003207142.tif 000004
(57)【要約】      （修正有）【課題】本考案は赤ちゃんの手足、首元の冷気防止ができ、足をバタバタして掛けている物をはいでしまう事を防止する事ができる肌掛けを提供する。【解決手段】赤ちゃんをくるむ布であって、手の部分、脇腹部分、足の部分が伸縮する物である事を特徴とする肌掛けで、本考案は赤ちゃんの手足、首元の冷気防止、足をバタバタして掛けている物をはいでしまう事を防止する肌掛けおくるみで構成している。【選択図】図２
0003207126.tif 000002
【実用新案登録請求の範囲】
【請求項１】
赤ちゃんをくるむ布であって手の部分、脇原、足の部分が伸縮する物であることを特徴とする肌掛け
【請求項２】
請求項１に記載の肌掛けにおいて、手の部分が伸縮する物で赤ちゃんの手に引っ掛けられる事を特徴とする肌掛け。
【請求項３】
赤ちゃんの成長や、大きさにより本考案を調整できる様にする事を特徴とする肌掛け。
【請求項４】
襟元に段差をつけて首元が苦しくならない様にして、そこに上下が解りやすい様に模様を付けている事を特徴とする肌掛け。
【請求項５】
持ち運びの際（抱っこ時）に足元をくるめるようになっているのを特徴とする肌掛け。
【考案の詳細な説明】
【技術分野】
【０００１】本考案は、赤ちゃんが寝ている時に、春夏秋冬問わず、冷えを防止でき、赤ちゃんの手の冷え、首元の冷気防止並びに足をバタバタして掛けている物をはいでしまう為の防止をする肌掛けに関する
【背景の技術】
【０００２】従来の肌掛けは赤ちゃんの就寝時には、タオルケットや掛け布団、毛布といったかけるだけのものであった。全身をくるむおくるみはあったが、手足の自由を奪い窮屈であった。よって就寝時の冷え、足をバタバタして掛けている物がはだけてしまう事の防止ができていない。
【０００３】その為、従来の赤ちゃんの肌掛けなどを使用するとはだけてしまう事や、手を冷やしてしまう為、ミトンなどを付けて寝かせるという欠点があるのである。
【考案の概要】
【考案が解決しようとする課題】
【０００４】赤ちゃんの就寝時の手足の冷えを防止する。赤ちゃんはタオルケットや毛布を掛けても手を上げて寝るのが特徴で、手が真冬などはキンキンに冷えている。この現象は、夏場の冷房の部屋でも同じである。そして起きている時などは、足をバタバタとする赤ちゃんの特徴がある為、掛けている物をはいでしまうのである。本考案は、以上のような従来の欠点に対し、解決しようとるす課題である。【０００５】更に、月齢により赤ちゃんは大きくなり、新生児のタオルケットでは、足が出てしまう。その事を解決しようとする課題でもある。
【課題を解決するための手段】
【０００６】赤ちゃんが掛けるものに伸縮のあるものを入れて手足をくるみ、そこで赤ちゃんの特徴を利用するものとする。赤ちゃんは物を握る習性がある為、そこを利用し寝る時に手を上げる仕草の時に本考案でくるむ。自分の上げている手で襟ぐりもぴったりとさせる。その事によって、首からの冷気も手の冷えも防止できるのである。【０００７】同時に、足もくるむ事でバタバタさせてもはだける事を防止できるものである。【０００８】上記目的を達成するために本考案は、赤ちゃんの冷え防止、はだけ防止をする事ができる。
【考案の効果】
【０００９】従来の肌掛け並びにタオルケットで悩みだった赤ちゃんの手足の冷え、首元からの冷気、足をバタバタして掛けている物をはいでしまう為、その事を本考案は赤ちゃんの物を握る習性を利用し、手を上げて寝る際に両手をくるみ、その力で自分の首元まで暖かくなり暖がとれる様になる。【００１０】同様に足をバタバタして掛けている物をはいでしまう事の防止も本考案でくるみ、はだけない様になる。よって従来のものと比べて、以上の説明から明らかなように、本考案にあっては、はるかに赤ちゃんが春夏秋冬、就寝時に暖をとれる効果が得られる。
（１）赤ちゃんの冷えの悩みを知る事で、そこには赤ちゃんの習性を利用する事ができ        、したがって本案件は従来の悩みを解決する事ができる。【００１１】  （２）前記（１）によって、赤ちゃんの冷えを防止できる。【００１２】  （３）請求項２、本考案の伸縮するための留め金で成長により大きくでき、（１）（２        ）同様の効果を得られる。【００１３】  （４）請求項３、本考案に腕を通す為の紐を付けていることにより起きている時にも使        用ができ、赤ちゃんの冷え防止効果が得られる。
【図面の簡単な説明】
【００１４】
【図１】本考案を実施するための最良の第１の形態の赤ちゃんの手足、首元からの冷気防止するための図である。
【図２】赤ちゃんをどの様にくるむのかが見て解る図である。
【図３】持ち運びなどもこの様に使用できる図である。
【考案を実施するための形態】
【００１５】以下、本考案の実施の形態を図に基づいて説明する。
【実施例１】
【００１６】図１は本考案の布を実施例の平面図であって、１枚広げた図であり、長方形で、襟ぐりを作り、上部に輪ゴム帯を付けて手にも引っ掛けられるようにしているのである。上部角、脇腹、下部にゴムを入れてくるめるようになっている、中部にホックを付けて成長によって大きく出来るようになっている。
【実施例２】
【００１７】図２は赤ちゃんをどの様にくるんで従来の悩みを解決できるかの形態を見る図である。この事によって赤ちゃんの冷え防止、はだけ防止を実施するものである。
【実施例３】
【００１８】図３は実用性をかねふまえ、持ち運ぶ際に図の様にも使用ができる。
【図１】
0003207126.tif 000003
【図２】
0003207126.tif 000004
【図３】
0003207126.tif 000005
【手続補正書】
【提出日】平成28年7月6日(2016.7.6)
【手続補正１】
【補正対象書類名】実用新案登録請求の範囲
【補正対象項目名】全文
【補正方法】変更
【補正の内容】
【実用新案登録請求の範囲】
【請求項１】
赤ちゃんをくるむ布であって手の部分、脇腹、足の部分が伸縮する物であることを特徴とする肌掛け
【請求項２】
請求項１に記載の肌掛けにおいて、手の部分が伸縮する物で赤ちゃんの手に引っ掛けられる事を特徴とする肌掛け
【請求項３】
請求項１に記載の肌掛けにおいて、その特徴を生かし、赤ちゃんの成長や、大きさにより本考案を調整できる様にする事を特徴とする肌掛け
【請求項４】
請求項１に記載の肌掛けにおいて、襟元に段差をつけて首元が苦しくならない様にして、そこに上下が解りやすい様に模様を付けている事を特徴とする肌掛け
【請求項５】
請求項１に記載の肌掛けにおいて、持ち運びの際、または抱っこをする際に足元をくるめるようになっているのを特徴とする肌掛け
(57)【要約】      （修正有）【課題】微生物検査で行うコロニーの移植作業において、片手で使い捨て白金線（白金耳）の交換を行うことができ、作業の効率化、廃棄物の縮小化と実用性に優れた簡易脱着式白金線を提供する。【解決手段】金属又はプラスチックからなる柄の部分と、柄の部分に挿入可能な使い捨てであるプラスチックからなる白金線とからなる、簡易脱着式白金線であって、柄の部分は、白金線を固定するためのワッシャー４と、ボタンと、バネ６とを有し、ボタンを押すことでワッシャー４に引っかかっていた白金線が外れ、バネ６の力により白金線が飛び出す。【選択図】図２
0003207124.tif 000002
【実用新案登録請求の範囲】
【請求項１】
金属又はプラスチックからなる柄の部分と、使い捨てであるプラスチックからなる白金線（白金耳）の先端部において、片手で柄の部分を握ったまま、先端部の使い捨て白金線（白金耳）を簡易脱着し、交換を行うことが可能な、簡易脱着式白金線（白金耳）
【考案の詳細な説明】
【技術分野】
【０００１】  本考案は、金属又はプラスチックからなる簡易脱着式白金線（白金耳）に関する。
【背景技術】
【０００２】  白金のような反応性の少ない材質でできた針金に持ち易い柄を付けたもの、又はガンマ線により滅菌されたプラスチック製の使い捨てのものがあり、微生物の移植に用いることが知られている。
【先行技術文献】
【非特許文献】
【０００３】
【非特許文献１】  「ＡＳ  ＯＮＥ研究用総合機器２０１５」アズワン株式会社２０１５年  ｐ５９５
【考案の概要】
【考案が解決しようとする課題】
【０００４】  しかしながら、ガンマ線により滅菌された従来のプラスチック製の白金線（白金耳）は、微生物の移植の際、毎回使い捨てて新たなものに持ち替えるという作業が必要になるため業務の効率が悪くなり、更に柄の部分も持ち替えるため廃棄物が増えるなどの欠点があった。
【課題を解決するための手段】
【０００５】  本考案は、金属又はプラスチックからなる先端部分の欠如した柄において、使用時に握る部分に押し込み式のボタンを設置し、ボタンを押し込むことでバネの力によって使い捨て白金線（白金耳）の取り外しを可能にすることで、取り付け時は使い捨て白金線（白金耳）を柄の先端部へ押し込み、取り外し時は握っている部分のボタンを押すことで使い捨て白金線（白金耳）を取り外すことができ、使い捨てである白金線（白金耳）の簡素化と持ち替え作業時の効率化を実現し、これにより上記課題を解決するものである。
【考案の効果】
【０００６】  本考案に係る簡易脱着式白金線（白金耳）は、片方の握っている手のみで操作することができ、使い捨て白金線（白金耳）についても、作成時の簡略化、廃棄物の縮小化をはかることができ、実用性に優れたものである。
【図面の簡単な説明】
【０００７】
【図１】本考案に係る簡易脱着式白金線（白金耳）の柄の製造における工程図である。
【図２】本考案に係る簡易脱着式白金線（白金耳）の先端部を装着時（前）の正面図である。
【図３】本考案に係る簡易脱着式白金線（白金耳）の先端部を装着時（後）の正面図である。
【図４】本考案に係る簡易脱着式白金線（白金耳）の先端部突出時の正面図である。
【考案を実施するための形態】
【０００８】図１に示すように胴体１にワッシャー４とスプリングガイド５を挿入し、更に金属でできたバネ６を挿入する。次に前キャップ２と後ろキャップ３をはめ込むことで柄の部分が完成する。
【０００９】図２、図３に示すように図１で作成した柄の先端にニードル７を挿入すると、柄の内部にあるワッシャー４がニードル７の頭部に引っかかり固定される。次に柄の横に付いているボタンを押すと、図４に示すようにワッシャー４に引っかかっていたニードル７が外れ、バネ６の力によりニードル７が飛び出す。
【００１０】上記工程により完成した本考案の簡易脱着式白金線（白金耳）は、柄の先端にある前キャップ２にニードル７を挿入することで柄にニードル７がしっかり固定され、微生物検査におけるコロニーの移植作業を行うことができ、作業後は胴体１に付属するボタンを押すことで微生物に汚染されたニードル７を容易に廃棄物として破棄できる。このことによって、現在必要であるニードルの持ち替え作業が無くなり、片手でニードル交換が行えて作業効率が上がると考えられる。
【符号の説明】
【００１１】１  胴体
２  前キャップ
３  後ろキャップ
４  ワッシャー
５  スプリングガイド
６  バネ
７  ニードル
【図１】
0003207124.tif 000003
【図２】
0003207124.tif 000004
【図３】
0003207124.tif 000005
【図４】
0003207124.tif 000006
【手続補正書】
【提出日】平成28年7月7日(2016.7.7)
【手続補正１】
【補正対象書類名】実用新案登録請求の範囲
【補正対象項目名】全文
【補正方法】変更
【補正の内容】
【実用新案登録請求の範囲】
【請求項１】
金属又はプラスチックからなる柄の部分と、当該柄の部分に挿入可能な使い捨てであるプラスチックからなる白金線とからなる、簡易脱着式白金線であって、上記柄の部分は、前記白金線を固定するためのワッシャーと、ボタンと、バネとを有し、当該ボタンを押すことで前記ワッシャーに引っかかっていた白金線が外れ、前記バネの力により前記白金線が飛び出すことを特徴とする簡易脱着式白金線。
(57)【要約】【課題】  薬の種類が多くとも薬の服用忘れ、服用過多を防止でき、取り難い小粒な錠剤でも簡単に取り出すことができる薬の収納容器を提供すること。【解決手段】  容器本体は、薬収容部１とこれを被蓋する蓋体２で構成されており、さらに薬収容部１は、複数行・複数列に区画されて成る薬収納部３と薬収納部３の底面に施された底面凸部４、相互間の区画壁の下端域に形成されたＲ状の形状を有し、薬の服用忘れ、服用過多を防止でき、取り難い小粒な錠剤でも簡単に取り出すことができる。【選択図】図１
0003207129.tif 000002
【実用新案登録請求の範囲】
【請求項１】
複数行・複数列に分割された薬収容部（１）とこれを被蓋する蓋体（２）とを有し、曜日あるいは特定時毎に処方された薬を分割収納することができる部分を有した薬収納容器。
【請求項２】
各薬収容部（３）の底部には、Ｒを付けた凸部（４）が形成されており、さらに相互間の区画壁の下端域もＲ状としてあることを特徴とする薬収納容器。
【考案の詳細な説明】
【技術分野】
【０００１】  本考案は、薬を曜日あるいは特定の時間毎に収納でき、小粒な錠剤であっても取り出しが容易な薬の収納容器に関するものである。
【背景技術】
【０００２】  医療機関を受診した際、患者は、薬局で複数種の薬を処方される。その際、一定の期間分まとめて処方されるため、患者は、飲み忘れが無いよう、各自で切り分け、簡易なケース等に保管し、決まった時間にその都度取り出し、服用しなければならない。【０００３】  汎用性がある収納容器が市場に出回ることが多くなった昨今では、曜日あるいは一日の特定時（例えば朝・昼・夜用）を明示するシール等を貼り付け、服用忘れ、服用過多等の問題が無くなりつつあるが、この汎用性のある収納容器に保管した薬は、容器底面が平らであるがゆえ、小粒な錠剤であるほど薬の取り出しに難儀する場合が多い。
【考案の概要】
【考案が解決しようとする課題】
【０００４】  この発明では、薬の服用忘れ、服用過多を防止するとともに、取り難い小粒な錠剤でも簡単に取り出すことができる薬の収納容器を提供することを課題とする。
【課題を解決するための手段】
【０００５】  請求項１記載の発明の薬収納容器は、曜日あるいは特定時毎に処方された薬を分割するために複数行・複数列に分割された薬収容部（１）とこれを被蓋する蓋体（２）とを有している。【０００６】  請求項２記載の発明の薬収納容器は、各薬収容部（３）の底部の列方向中央部にＲを付けた凸部（４）が形成されており、さらに相互間の区画壁の下端域もＲ状の形状を有している。
錠剤をこの凸部（４）に移動させることで錠剤の一方が上がると空間ができ、指で掴み易く取り出しが容易になることにより問題点を解決している。
【考案の効果】
【０００７】  この発明は上記の様な構成であることから次の効果を有する。【０００８】  課題を解決するための手段の欄に記載した内容から、薬の種類および数が多くても薬の服用忘れ、服用過多を防止でき、さらに、いかなる小粒な錠剤でも容易に取り出すことができる薬収納容器が提供できた。
【図面の簡単な説明】
【図１】  この発明の実施形態である薬収納容器の開蓋時の斜視図。
【図２】  前記薬収納容器の断面図。
【図３】  底面凸部を使用した錠剤の取り出し例。
【符号の説明】１      薬収容部
２      蓋体
３      薬収納部
４      底面凸部
【図１】
0003207129.tif 000003
【図２】
0003207129.tif 000004
【図３】
0003207129.tif 000005
【手続補正書】
【提出日】平成28年8月5日(2016.8.5)
【手続補正１】
【補正対象書類名】実用新案登録請求の範囲
【補正対象項目名】請求項２
【補正方法】変更
【補正の内容】
【請求項２】
各薬収容部（３）の底部には、Ｒを付けた凸部（４）が形成されており、さらに相互間の区画壁の下端域もＲ状としてあることを特徴とする請求項１記載の薬収納容器。
(57)【要約】      （修正有）【課題】環境保護のために地表面から離れた位置での焚火を行うための焚火スタンドにおいて、コンパクト収納を可能として携帯に便利な焚火スタンドを提供する。【解決手段】適宜長さの金属パイプからなる下方脚管１１の上部を束ねて開閉自在に連結した下方脚部１と、下方脚管１１に差込連結される所定数の上方脚管２と、金網部３１の隅部に上方脚管２の開口端に挿入連結する連結部（差込クリップ３３）を設けた火床体３とで構成し、開脚した下方脚管１１に上方脚管２を差込連結すると共に、火床体３の連結部（差込クリップ３３）を上方脚管２の開口端に連結して、火床体３を拡げて支持する。【選択図】図１
0003207183.tif 000002
【実用新案登録請求の範囲】
【請求項１】
適宜長さの金属パイプからなる下方脚管の上部を束ねて開閉自在に連結した下方脚部と、下方脚管に差込連結される所定数の上方脚管と、金網部の隅部に上方脚管の開口端に挿入連結する連結部を設けた火床体とで構成したことを特徴とする焚火スタンド。
【請求項２】
連結部を、リング状本体の両端を交差させて端部を開口付状態に形成した差込クリップで構成し、金網部の隅部に連結孔に形成すると共に、前記差込クリップの端部を連結孔に通して下方へ突出して設けてなる請求項１記載の焚火スタンド。
【請求項３】
四脚で形成されている請求項１又は２記載の焚火スタンド。
【考案の詳細な説明】
【技術分野】
【０００１】
本考案は、キャンプファイヤーのような焚火に使用するための焚火スタンドに関するものである。
【背景技術】
【０００２】
キャンプなどにおいての焚火は楽しいものであるが、直接地面で行うと地中の微生物を死滅させることになるので、地面から浮かせて焚火を行うための焚火スタンドが従前より使用されている。その基本的構成は適宜な折り畳み脚の上に火床となる金属板（扁平容器）を載置した構成である（特許文献１）。また枠状脚を交差させた折り畳み脚と網板状の火床部材の組み合わせの構成も知られている（特許文献２）。
【先行技術文献】
【特許文献】
【０００３】
【特許文献１】意匠登録１５３１７５９号公報。
【特許文献２】登録実用新案３１２３１９１号公報。
【考案の概要】
【考案が解決しようとする課題】
【０００４】
従前の焚火スタンドは、床体や網板体からなる火床部材と折り畳み脚で構成されているが、携帯に際しては、火床部材が板状であり、必ずしもコンパクト収納並びにコンパクト携帯が実現しているものではない。そこで本考案はよりコンパクトに収納でき、且つ携帯できる焚火台を提案したものである。
【課題を解決するための手段】
【０００５】
本考案に係る焚火スタンドは、適宜長さの金属パイプからなる下方脚管の上部を束ねて開閉自在に連結した下方脚部と、下方脚管に差込連結される所定数の上方脚管と、金網部の隅部に上方脚管の開口端に挿入連結する連結部を設けた火床体とで構成したことを特徴とするものである。
【０００６】
而して下方脚部の下方脚管を開き、各下方脚管に上方脚管を差込連結すると共に、火床体の連結部を上方脚管に連結すると、火床体は交差開脚した上下脚管に支持されて拡げられ、この火床体の上面で焚火をおこなうものである。また下方脚管部と複数本の上方脚管を火床体に包んで丸めると、全体がコンパクトな棒形状となる。
【考案の効果】
【０００７】
本考案の構成は上記のとおり閉口して棒状に折り畳み可能な下方脚部と、複数本の上脚管と巻き込み収納可能な金網で形成された火床体で構成されているもので、全体を棒状に纏めることでコンパクト収納を可能とし、携帯容易としたものである。
【図面の簡単な説明】
【０００８】
【図１】本考案の実施形態の使用時の全体図（一部裁断）。
【図２】同連結部の説明図で（イ）は連結前（ロ）は連結後を示す。
【図３】同収納時前の分解状態の説明図。
【考案を実施するための形態】
【０００９】
次に本考案の実施形態について説明する。実施形態に示した焚火スタンドは、下方脚部１と四本の上方脚管２と火床体３で構成される。
【００１０】
下方脚部１は、四本の金属パイプ製の下方脚管１１の下端に足部（開口端を閉塞する部材）１２を装着し、上方部分を矩形枠体１３内に挿入した束ね構成に形成すると共に、各四辺で枢結（枢結軸１４）して、下方脚管１１が前記枢結軸１４を中心回動することで、脚全体の開閉を行えるようにしたものである。
【００１１】
上方脚管２は、下方脚管１１と同一径の金属パイプで形成したもので、下方部分を細径として差込部２１を形成し、下方脚管１１に密挿差込可能形状としたものである。
【００１２】
火床体３は、適宜大きさ（脚の開脚状態に対応する）の矩形の金網部３１の隅部に連結孔３２を形成し、前記連結孔３２に差込クリップ（連結部）３３を装着したものである。
【００１３】
差込クリップ３３は、弾性線材で形成したもので、連結孔３２より大径のリング状本体３３１の両端を交差させ、且つ当該端部を前記上方脚管２の開口端２２の内径より幅広に開口した差込端部３３２に形成したものである。前記差込端部３３２を連結孔３２から差し入れて差込クリップ３３を金網部３１に装着したものである。
【００１４】
而して前記の焚火スタンドは、下方脚管１１を束ねた状態の下方脚部１と、四本の上方脚管２と、巻いて折り込んでなる火床体３で構成されているので、下方脚部１と四本の上方脚管２とを火床体３で包むようすると、コンパクトに携帯できるものである。
【００１５】
使用に際しては、図３に示すように火床体３の包みから下方脚部１と四本の上方脚管２を離し、下方脚部１の下方脚管１１を開脚状態にすると共に、各下方脚管１１に上方脚管２の差込部２１を挿着し、火床体３の差込クリップ３３の差込端部３３２を閉じて上方脚管２の開口端２２に差し入れると、差込端部３３２の反発弾性で差込クリップ３３が上方脚管２と連結する。
【００１６】
従って火床体３は開脚状態の上下脚管（下方脚管１１及び上方脚管２）に拡げられて支持されることになり、この火床体３の金網部３１の上面で焚火を行うことができるものである。
【符号の説明】
【００１７】
１      下方脚部
１１    下方脚管
１２    足部
１３    矩形枠体
１４    枢結軸
２      上方脚管
２１    差込部
２２    開口端
３      火床体
３１    金網部
３２    連結孔
３３    差込クリップ（連結部）
３３１    リング状本体
３３２    差込端部
【図１】
0003207183.tif 000003
【図２】
0003207183.tif 000004
【図３】
0003207183.tif 000005
(57)【要約】      （修正有）【課題】油が着いても滑り難く、耐突刺性にも優れた作業用手袋を提供する。【解決手段】皮素材１の表面の袖口を残してニトリルゴム２をディッピングした作業用手袋である。この構成で皮素材１は耐突刺性をそなえ、二トリルゴム２は耐油性を備えるとともに、摩擦にも強いところから、耐油性と耐突刺性を備えた作業用手袋が得られることになる。【選択図】図１
0003207106.tif 000002
【実用新案登録請求の範囲】
【請求項１】
皮素材の表面の袖口を残してニトリルゴムをディッピングしたことを特徴とする作業用手袋。
【考案の詳細な説明】
【技術分野】
【０００１】
本発明は作業用の手袋に関するものである。
【背景技術】
【０００２】
作業用手袋は、金属加工をする工場の職人、特に切削作業をする職人、あるいは重量物、割れガラス等の危険物を扱う職人に使用されている。一般的には皮革製で、一般的な作業に使用する限りは充分に対応することができる程度の強さがある。
【０００３】
一方ニトリルゴムは、油に犯され難く、油に濡れても滑り難い等に利点があることから、手術用手袋、あるいは家庭用の手袋として多用されている。
また、特開２００３−４９３０６号に開示するように、手袋の外側の少なくとも一部が樹脂加工処理され、耐熱性、耐磨耗性、耐切創性を備えた手袋が開示され、上記樹脂として二トリルゴムをしようしている。
【先行技術文献】
【特許文献】
【０００４】
【特許文献１】特開２００３−４９３０６号公報
【考案の概要】
【考案が解決しようとする課題】
【０００５】
産業廃棄物は、油で汚れた品物も多く、これを通常の皮製の作業用手袋で扱うと、油が染み込んで手を汚すことになる、また油で表面が滑り易くなって重い物が持上げ難くなる。また、産業廃棄物には割れたガラスや、注射針のように突刺性の品物も多く、前記ニトリルゴムだけの手袋では耐突刺性が充分ではないので、作業者が怪我をすることがあった。
【０００６】
本考案は、上記従来の事情に鑑みて提案されたものであって、油が着いても滑り難く、耐突刺性にも優れた作業用手袋を提供することを目的とするものである。
【課題を解決するための手段】
【０００７】
本考案は、皮素材の表面の袖口を残してニトリルゴムをディッピングした作業用手袋である。
【考案の効果】
【０００８】
上記構成で皮素材は耐突刺性をそなえ、二トリルゴムは耐油性を備えるとともに、摩擦にも強いところから、耐油性と耐突刺性を備えた作業用手袋が得られることになる。
【図面の簡単な説明】
【０００９】
【図１】本発明の掌部を示した平面図。
【図２】図１Ａ−Ａ'断面図。
【考案を実施するための形態】
【００１０】
図１の平面図、図２の断面図に示すように、本考案は皮素材１を手袋として縫い上げ、その後、当該皮素材１を溶融状態の二トリルゴムにディッピングして、前記皮素材の表面に二トリルゴム２をコーティングしたものである。
【００１１】
この構成により皮素材が本来持つ耐突刺性に加えて、ニトリルゴムが持つ耐油性（滑り難く、溶け難い）を備えることになる。また、皮素材１がディッピングによって隠れるので、傷がある皮素材、あるは色むらがある皮素材を用いても、目立たなくなり材料の有効活用ができることになる。
【産業上の利用可能性】
【００１２】
産業廃棄物のように、油が付着する一方、針は棘せいの突刺性の品物を無作為に掴む必要がある場合に有効である。
【符号の説明】
【００１３】
１  皮素材
２  ニトリルゴム
【図１】
0003207106.tif 000003
【図２】
0003207106.tif 000004
(57)【要約】      （修正有）【課題】防虫作業に充分に耐えるとともに、山林作業での危険性を小さくする作業用手袋を提供する。【解決手段】表面革材と裏面革材との間に２枚のゴムシートを挟み込むとともに、表面材の裏側にアラミド生地を挟み込んだ素材で甲部、人差し指〜小指甲部、親指の全体を形成し、前記表面革材と裏面革材との間に１枚のゴムシートを挟み込んだ素材で、掌部、人差し指〜中指の掌部、更に袖部を形成する作業用手袋２０である。この構成により、甲部は５層Ａになっており、樹木の突刺部や棘あるいは蜂の棘が通りにくくなっている。また、掌部および指部の掌側は薄手の３重構造Ｂとなっており、作業する上での柔軟性を確保するようにしている。【選択図】図２
0003207105.tif 000002
【実用新案登録請求の範囲】
【請求項１】
表面革材と裏面革材との間に２枚のゴムシート材を挟み込むとともに、表面材の裏側にアラミド生地を挟み込んだ素材で甲部、人差し指〜小指の甲部、親指の全体を形成し、前記表面革材と裏面革材との間に１枚のゴムシート材を挟み込んだ素材で、掌部、人差し指〜中指の掌部、更に袖部を形成したことを特徴とする作業用手袋。
【考案の詳細な説明】
【技術分野】
【０００１】
本発明は作業用の手袋に関するものである。
【背景技術】
【０００２】
作業用手袋は、金属加工をする工場の職人、特に切削作業をする職人、あるいは重量物、割れガラス等の危険物を扱う職人に使用されている。害虫駆除、特に、蜂駆除においても、上記一般的な作業用手袋を使用することは有効であるが、例えば大すずめ蜂の駆除に使用するには未だ不足な点があるとして、実用新案登録第３１５８４６２号に開示の防虫用手袋が開示されている。また山林作業をする職人は不用意に掴んだ樹木に突刺部や棘があったりすることがある。
【０００３】
当該実用新案登録第３１５８４６２号によると、表面層と下面層に間にゴムシートよりなる中間層を介在させて、当該３層を接着した材料を使用し、前記表面層、下面層のいずれか一方は皮を使用している。
【先行技術文献】
【特許文献】
【０００４】
【特許文献１】実用新案登録第３１５８４６２号
【考案の概要】
【考案が解決しようとする課題】
【０００５】
上記実用新案登録第３１５８４６２号に開示の防虫用手袋を、実際に大すずめ蜂の駆除に使用してみると、３層構造であっても、中間のゴムシートの強度が不足したり、あるいは、表面層や下面層の強度が足りない場合、強直な刺殺力を有する大すずめ蜂の駆除には力不足な点があり、更に丈夫な外皮を持つ作業用手袋が要請されていた。
【０００６】
また、山林中に樹木の突刺部や棘は、上記のような3重構造の素材であっても突き抜け、素肌を怪我することがある。
【０００７】
本考案は、上記従来の事情に鑑みて提案されたものであって、防虫作業に充分に耐えるとともに、山林作業での危険性をさらに小さくした作業用手袋を提供することを目的とするものである。
【課題を解決するための手段】
【０００８】
本考案は、前記表面革材と裏面革材との間に２枚のゴムシートを挟み込むとともに、表面材の裏側にアラミド生地を挟み込んだ素材で甲部、人差し指〜小指甲部、親指の全体を形成し、前記表面革材と裏面革材との間に１枚のゴムシートを挟み込んだ素材で、掌部、人差し指〜中指の掌部、更に袖部を形成する作業用手袋である。
【考案の効果】
【０００９】
上記構成で甲部及び親指部全体が、厚い５層になっており、樹木の突刺部や棘あるいは蜂の棘が通りにくくなっている。また、掌部および指部の掌側は薄手の３重構造となっており、作業する上での柔軟性を確保するようにしている。
【図面の簡単な説明】
【００１０】
【図１】本発明の掌部を示した平面図。
【図２】本発明の甲部を示した平面図。
【図３】５層の素材の構造を示す断面図。
【図４】３層の素材を示す断面図である。
【考案を実施するための形態】
【００１１】
本考案に使用する一方の素材は図３に示すように、５層構造のシートＡになっている。すなわち、表面革材１２と裏面革材１１との間に２枚のゴムシート１３ａ、１３ｂが挟み込まれている。更に、表面革材１２と前記表面側のゴムシート１３ｂの間にアラミド生地１４が挟み込まれ、各層が接着剤で接着された構造になっている。アラミド生地はいわゆるナイロン系の素材であり、樹木の突刺部や棘の差込みに高い抵抗を示すことになる。
【００１２】
この素材は、図１、図２で符号Ａを付した部分に用いられる。図１は掌側からみた作業用手袋１０を示し、図２は甲側からみた作業用手袋２０を示す。前記シートＡは、甲部、人差し指〜小指の甲側、親指の全体に用いられる。
【００１３】
本考案に使用する他方の素材は図４に示すように、３層構造のシートＢになっている。すなわち、表面革材２２と裏面革材２１との間に１枚のゴムシート２３が挟み込まれ、相互に接着剤で接着される。
【００１４】
この素材は、図１、図２で符号Ｂを付した部分に用いられる。すなわち、掌部、人差し指〜小指の掌側であり、外部の物体との接触が少ない側である。更に、すそ部分には３層構造のシートＢが用いられる。
【００１５】
上記の構成にすると、作業上、常に外部の物体と触れる甲部や親指部分は５層構造のシートＡとなっており、しかも５層のうちの２槽が弾力のあるゴムシート層であり、１層は強度があるアラミド生地であるので、山林作業で突刺部や棘が甲が当たることがあっても、突刺部や棘が素肌にまで達することはない。また、掌部分や、動きの大きい人差し指や中指の掌側は３層構造にしているので、作業するに必要な動きを確保できる。
【００１６】
また害虫（蜂）駆除においても、上記のように甲部や親指部分は５層構造になっており、例えば大すずめ蜂の針が貫通することはなく、蜂の攻撃に対する抵抗力は充分あり、手を保護することができることになる。
【産業上の利用可能性】
【００１７】
以上説明したように、本考案は作業上外部の物体に触れやすい部分を５層構造のシートとして突刺部や棘が手に当たっても保護ができるようにし、掌部には３層構造のシートを用いているので、手の動きを確保することができるようになっているので、山林作業や害虫の駆除作業に用いることができる。
【符号の説明】
【００１８】
Ａ  ５層シート
Ｂ  ３層シート
１１、２１  表面革材
１２、２２  裏面革材
１３ａ、１３ｂ、２３  ゴムシート
１４、アラミド生地
【図１】
0003207105.tif 000003
【図２】
0003207105.tif 000004
【図３】
0003207105.tif 000005
【図４】
0003207105.tif 000006
(57)【要約】      （修正有）【課題】装着したときに体から離れずに、仮性包茎を痛みなく剥き続けられる装置を提供する。【解決手段】陰茎を締め付ける小リングと、それを無理なく肌側に引きつけ続けるショーツ状の構成物からなる。正面中央から２本にわかれている輪に両足をそれぞれ入れて、上部の大きな輪１を腰に回す。正面の小さなリング２に陰茎を挿入して締め付け、さらには小さなリングに連結している紐３を調整、締め付け部を体側に引き寄せることによって、常に包皮を引っ張って亀頭を露出させる。【選択図】図１
0003207131.tif 000002
【実用新案登録請求の範囲】
【請求項１】
ゴムチューブを通した２本の伸縮性のある丸紐によって作られるリングで、陰茎を締め付けて包皮を剥き続ける装置。
【考案の詳細な説明】
【技術分野】
【０００１】
本考案は、仮性包茎を直し、なおかつ元に戻らないようにする仮性包茎を矯正するバンドに関する。
【背景技術】
【０００２】
従来の包茎矯正具は、パンツ形やリング状、あるいは接着剤などで構成されている。
【０００３】
しかしながら、従来のものは体側に密着するような構造になっていないために、仮性包茎部分が使用中にも関わらず元に戻ってしまうという欠点があった。
【先行技術文献】
【特許文献】
【０００４】
【特許文献１】2009-256814号
【非特許文献】
【０００５】
【非特許文献１】特になし
【考案の概要】
【考案が解決しようとする課題】
【０００６】
本考案は、以上のような従来の欠点に鑑み、装着したときに体から離れずに、仮性包茎を痛みなく剥き続けられることを提供することを目的としている。
【課題を解決するための手段】
【０００７】
上記目的を達成するために、本考案は、陰茎を締め付けるリングをショーツ形状で腰に装着することで、仮性包茎を矯正するバンドを構成している。
【考案の効果】
【０００８】
以上の説明で明らかなように、本考案にあっては次に列挙する効果が得られる。
（１）リング状の伸縮性のある紐で陰茎を締め付けているので、包皮が剥かれるている状態を継続することができる。
【０００９】
（２）陰茎を締め付けているリングはショーツ状に腰と両太ももに固定されているので、より強く体側に引きつけられることになり、さらに強力に包皮を剥き立てる効果が得られる。
【図面の簡単な説明】
【００１０】
【図１】本考案を実施するための形態の正面図である。
【考案を実施するための形態】
【００１１】
以下、本考案の実施の形態を図に基づいて説明する。
【実施例】
【００１２】
図1は、本考案の実施前の状態であって、正面中央から2本にわかれている輪に両足をそれぞれ入れて、上部の大きな輪を腰に回す。正面の小さなリングに陰茎を挿入して締め付け、さらには小さなリングに連結している紐を調整、締め付け部を体側に引き寄せることによって、常に包皮を引っ張って亀頭を露出させることが可能となっている。
【産業上の利用可能性】
【００１３】
本考案は、包茎で悩んでいる人の、その原因となっている仮性包茎を痛みなく容易に矯正するために利用される。
【符号の説明】
【００１４】
１  伸び縮みのする材質で作られた、ショーツ状の構成物。水平のリングにはウエストが、両側にはそれぞれ両足が入る。
２  陰茎をはめて締め付ける、小さなリングで、１の各部を調整することによって、仮性包茎の皮部分が体側に引き寄せられる。
３  チューブを輪切りにしたもので、丸ゴムなどを複数通したとき、適宜な場所で固定するようになっているから、サイズの調整が容易。
【図１】
0003207131.tif 000003
(57)【要約】      （修正有）【課題】本を開いた状態で保持し、一頁如に繰り出し繰り入れが簡単にでき、ベッド上で横になり、リラックスして読書を楽しむことができる読書用具を提供する。【解決手段】横長矩形板７を上に縦長矩形板８を下に十字に重ね、中央前後の折線で上方鈍角１４０°に折り曲げ、横長矩形板には横方向２ヶ所にボルト穴９、縦長矩形板には、前後に長穴１０を形成し、２本のボルトと下方蝶ナットで、本の大小に応じて前後に動かし固定する。横長矩形板左右前方にクリップを、垂直の前固定板１２に針金１４を取り付け、後固定板１３にも針金を取付け、前後に向き合わせ本の背表紙を折り曲げ線上に本の厚さの半分を左右に開き、天と地に本を針金に差し込み狭みボルトと蝶ナットで固定すると、本は一体に保持される。【選択図】図２
0003207134.tif 000002
【実用新案登録請求の範囲】
【請求項１】
本を一体に保持する構造のステンレス又はプラスチック製の板で、横長矩形板を上面に下面に縦長矩形板を十字に重ね合わせ、２枚を上下中心線折り曲げ線でＶ字形の鈍角１４０°に折り曲げて、
横長矩形板の左右に２個のボルト穴と、下面縦長矩形板の前後方向２個の平行する長穴を形成し、上方より２本のボルトと蝶ナットで固定し、横長矩形板の上部左右端上にクリップを固定し、左右クリップ間を垂直に連結し垂直の、
前固定板中央に針金を固定し、中央折れ線上方１０ｍｍ位置に針金直径１ｍｍの長さ１０ｍｍを縦長矩形板の後方にも後固定板を形成するもので、後固定板の針金は対面し、本の天と地を前後で挟み込み本の中に針金が入っている状態で、本は横、縦長矩形板２枚と一体となり本を保持することを特長とする読書の用具。
【考案の詳細な説明】
【技術分野】
【０００１】机と椅子での読書は用具の必要もなく、体をリラックスして、本を開き手で保持し一頁ずつめくることの繰り返しであり、本案は本を２枚の板で一体に保持する構造で、横長矩形板を上部に縦長矩形板を下部に十字に重ね合わせ、左右を上方にＶ字形の鈍角１４０°に折り曲げ、横長矩形板に横方向２ヶ所にボルト穴と縦長矩形板には、前後方向に平行の長穴を形成し、２本のボルトと蝶ナットで本の大小に依り前後動し固定する。
横長矩形板左右上部に２個のクリップと直角に立ち上げる本の天と接触する前固定板は、地に対面する後固定板の背表紙上１０ｍｍ上部の折り曲げ線と平行の針金は、経１ｍｍ長さ１０ｍｍで本の前部天と、後部地を本の頁の小口の中に入り込み、本は針金と接触し、一体となる構造の読書の用具。
【背景技術】
【０００２】読書中は本を開き手放しでの読書は不可能である。
【考案の概要】
【考案の解決しようとする課題】
【０００３】本を開き２枚の横長縦長矩形板に本を固定する構造が必要である。
【課題を解決する為の手段】
【０００４】本考案は本を開き保持する２枚の横長縦長矩形板を十字に重ね、前後の中心折り曲げ線をＶ字型１４０°の鈍角とし、横長矩形板のボルト穴と縦長矩形板の長穴で結合し、本の大小により前後に移動し、ボルトと蝶ナットで固定、前固定版と後固定板に対面する針金で本は一体となる構造である。
【考案の効果】
【０００５】本考案に係る読書の用具は、簡単な構造で、軽量、安価、実用性にも優れたものである。
【考案を実施するための形態】
【０００６】説明は本を平面に開き前後、左右、上下とします。
本を一体に保持する構造の２枚の横長矩形板７を上面に、縦長矩形板８を下面に十字に重ね合わせ、前後の中心折り曲げ線１１上Ｖ字形の鈍角１４０°に折り曲げる構造である。
【０００７】横長矩形板７は横方向２ヶ所にボルト穴９と、縦長矩形板８は前後平行の２列の長穴１０を形成し、２本のボルト１５で下方蝶ナット１６で固定され、本の大小で前後し固定する。
【０００８】長横矩形板７左右前方にクリップ本体１７と垂直の前固定板１２と針金１４を固定し、縦長矩形板８の下方後固定板１３と針金１４は対面し、背表紙２の水平上の天３と地４に対面し、のど６の前後で針金１４で保持する構造である。
【０００９】対面する前後の固定板１２．１３の中心折り曲げ線１１の１０ｍｍ上方に直径１ｍｍ長さ１０ｍｍの針金１４を前固定板１２に固定し、後固定板１３に対面する針金１４は、本１の背表紙２の前後を水平に中心折り曲げ線１１上の本１を左右振り分け開き前固定板１２と針金１４をのど６に取り入れ、本１の天３地４が一体となり、本１の開閉も自在である読書の用具。
【００１０】
【図面の簡単な説明】
【００１１】
【図１】本考案に係る読書の用具正面図。
【図２】本考案に係る読書の用具平面図。
【図３】本考案に係る読書の用具側面図。
【図４】本考案に係る読書の用具のクリップ部品。
【符号の説明】
【００１２】  １  本                              １１  中心折り曲げ線
２  背表紙                          １２  前固定板
３  天                              １３  後固定板
４  地                              １４  針金
５  小口                            １５  ボルト
６  のど                            １６  蝶ナット
７  横長矩形板                      １７  クリップ本体
８  縦長矩形板                      １８  クリップレバー
９  ボルト穴                        １９  クリップ押え
１０  ボルト長穴                      ２０  クリップ引きばね
２１  クリップばね受ピン【００１３】クリップは書類や物を挟んだり留めたりする金具である。
クリップ本体１７はクリップレバー１８と引きばね２０ばね受ピン２１で形成され、クリップ押え１９を引き上げると定位置で固定されるものである。
【雑誌各部の名称】
【００１４】
0003207134.tif 000003
【図１】
0003207134.tif 000004
【図２】
0003207134.tif 000005
【図３】
0003207134.tif 000006
【図４】
0003207134.tif 000007
【手続補正書】
【提出日】平成28年8月29日(2016.8.29)
【手続補正１】
【補正対象書類名】明細書
【補正対象項目名】００１４
【補正方法】変更
【補正の内容】
【００１４】背表紙、表紙、天、柱、片反面（づら）、のど、地、ノンブル